(57)【要約】      （修正有）【課題】特別な装置機械を使用することなく、酸化チタン光触媒で園芸施設内に浮遊する病原性胞子を死滅させる方法を提供する。【解決手段】酸化チタン光触媒液を塗布したプラスチックシート、織布あるいは不織布をガラス室、ハウスなどの園芸施設内にカーテン状などに吊り下げ、園芸施設内の循環空気と接触させることにより病原菌胞子を死滅させる。【選択図】なし【特許請求の範囲】
【請求項１】
アナターゼまたはアナターゼ誘導体を含むスラリー、ゾルまたは溶液を塗布したプラスチックシート、織布あるいは不織布を園芸施設内に置き、自然光または人工光照射下に施設内空気と接触させることを特徴とする施設園芸作物の病害防除方法。
【請求項２】
請求項１において塗布液がペルオキソチタン酸水溶液、ペルオキソ改質アナターゼゾルまたは両者の混合液である施設園芸作物の病害防除方法。
【請求項３】
請求項１において施設園芸作物がイチゴ、またはキュウリである施設園芸作物の病害防除方法。
【請求項４】
請求項２において施設園芸作物がイチゴ、またはキュウリである施設園芸作物の病害防除方法。
【発明の詳細な説明】
【技術分野】
【０００１】
本発明はビニールハウス、ガラス室、温室、育苗施設などの施設園芸において、酸化チタン光触媒の殺菌作用を利用して園芸作物の病害を予防或いは除去する技術に属する。
【背景技術】
【０００２】
施設園芸では、閉鎖された空間で作物を栽培するため一旦病害が発生すると施設内全体に病害が急速に波及し、大きい被害が発生する。そのため、従来、薬剤散布やガス殺菌が行われているがこの農薬散布は複数回繰り返して行う必要があり、関連法規によって安全な取り扱いが規定されているが、園芸作業者の健康被害や食品への残留などおそれがあるため、いわゆる減農薬あるいは無農薬栽培が要望されている。これに対応して、酸化チタン光触媒の殺菌能力を利用した無農薬病害防除方法が特開２００２−１８６３６４号公報で開示されている。ここでは、酸化チタン光触媒と光源からなる除菌装置と空気循環用送風装置を併用した園芸作物の病害防除機構が開示されている。
【発明の開示】
【発明が解決しようとする課題】
【０００３】
上記の特開２００２−１８６３６４号公報では特別に光源と光触媒層を必要要素とする除菌装置と空気循環装置を必要とし、それらが占拠場所を必要とするためハウス内の栽培面積が制約され、それらの設備に対する付加的経費が必要である。
【課題を解決するための手段】
【０００４】
塗布などの処理により酸化チタン光触媒層を表面に形成させたビニルシート類を施設内にカーテン状などに吊り下げ、施設内空気と接触させることにより特別な装置機械を使用することなく浮遊中の病原性胞子を死滅させる。
【発明を実施するための最良の形態】
【０００５】
本発明においては、対象園芸作物、園芸施設、酸化チタン光触媒液、当該光触媒を塗布するシート類と塗布方法、当該シートの形状と設置形態が主要な構成要素である。
【０００６】
本発明の対象園芸作物は果実的野菜（イチゴ、スイカ、メロン等)、及び果菜類(トマト、ピーマン、ナス、キュウリ等)である。
【０００７】
本発明により制御される病害は感染性の胞子を形成する糸状菌に由来するものであり、例えば、Peronosporaceae科に由来するベト病、Erysiphaceae科に由来するウドンコ病、Botrytis属に由来する灰色カビ病、Collectotrichum属による炭疽病、Uredinales目によるさび病などが挙げられる。いずれも空中に浮遊した胞子が伝播して他の植物体に付着し病害を蔓延させるため，施設内の空気を除菌することにより病害を防除する必要がある。
【０００８】
本発明における園芸施設とはガラス室、ハウス、栽培用トンネルを意味し、その中には育苗用の施設の場合も含まれる。ハウス及びトンネルはポリ塩化ビニルシート、ポリエチレンシート、硬質プラスチックフィルム、硬質プラスチック板、その他の合成樹脂シートを使用して設置するものである。これらのハウス等の加温は石油、電熱、太陽熱、地熱水、石油代替燃料によって行われるものである。
【０００９】
本発明の園芸施設には高設栽培、土耕栽培、石垣栽培及び溶液栽培を行うものが含まれる。溶液栽培の形態には、水耕栽培（たん水型及びNFT型),固形培地栽培（れき耕、砂耕、ロックウール栽培）、及び噴霧耕などがあるがいずれも本発明の適用対象である。栽培方法としては促成栽培以外に半促成栽培も本発明の対象である。
【００１０】
本発明は，アナターゼまたはアナターゼ誘導体を有効成分とするスラリー、ゾル、または透明溶液（以下酸化チタン光触媒液という。)  をスプレーガンなどによりシート類の表面に均一に塗布して乾燥することにより表面に光触媒機能を持つアナターゼ層を形成させるものである。本発明の実施例１では特定の製造方法によるペルオキソチタン酸水溶液とペルオキソ改質アナターゼゾルの混合液を酸化チタン光触媒液として使用しているがこのことは本発明での酸化チタン光触媒液の組成と製造方法を限定するものではない。
【００１１】
本発明において酸化チタン光触媒液塗布の対象物はシート、織布、不織布の形状を持つ。それらの素材としてはポリオレフィン、ポリスチレン、ポリエステル、ポリ塩化ビニル、ポリアクリロニトリル、ポリ酢酸ビニル、フッ素樹脂、天然繊維、合成繊維および半合成繊維が使用される。シートの厚さは０．１から１．０ｍｍ程度が適切であるがその範囲外の厚さのものも本発明の対象である。
【００１２】
酸化チタン光触媒液を塗布されたプラスチックシートや織布類はハウス内の循環空気と効率的に接触させるために種々の形態でハウス内に設置される。例えば、ハウス内の上部から、カーテン状、短冊状、あるいはリボン状に吊り下げられ、更には、空気循環用ダクト材料として使用される。また、栽培中の作物棚の直上に傘状の骨格を組み立てその骨格にこの処理シートを張っても有効である。また、既に設置したプラスチック構造物、例えばビニルハウスの内壁や空気ダクト（主管と枝管)の内外表面に対して同様の酸化チタン光触媒液塗布を行っても同様な効果が見られる。
【００１３】
このようにハウス内に設置した酸化チタン光触媒塗布プラスチックシートと病原菌胞子を効率的に接触させ殺菌効果を発揮させるために、ハウス内の空気を流動還流させることが好ましい。
【００１４】
一般的に酸化チタン光触媒は光による活性化作用によって接触する有機物を分解する性質を持っていることは周知のことである。そのため、有機基材に対して酸化チタン処理を行う場合は有機基材と酸化チタン層との中間に無機性のプライマー層を介在させる事が行われている。プラスチックシートも光によって活性化された酸化チタンの作用によってその酸化チタン周辺の化学結合が切断され微細な亀裂を生じ、全体としては白化あるいは脆化現象を示す傾向がある。しかしながら本発明に例示されるような酸化チタン光触媒塗布を受けたプラスチックシート類はビニルハウスなどの内部に置かれた場合は一年以上酸化チタンによる劣化現象を示さず脆化しないためいわゆる中間バインダー層は実用的には不要であることがわかった。
【実施例１】
【００１５】
一ノ瀬弘道、寺崎信、勝木宏昭：ペルオキソチタン酸からのペルオキソ修飾されたアナターゼゾルの合成、Journal of Ceramic Society of Japan,104,715(1996)に従って製造したペルオキシチタン酸水溶液とペルオキソ改質アナターゼゾルの混合液をスプレーガンで厚さ０．１ｍｍのポリ塩化ビニルシートに塗布した。なお、塗布液量は1平方メートル当たり0.05リットルであった。塩化ビニルシートを室温で乾燥後、その２０平方メートル（２メートルｘ１０メートル）を１００平方メートルのビニールハウス内にカーテン状に吊り下げた。このハウス内で殺菌剤の散布を行わずに苺（品種名あきひめ）を栽培したところ、ウドンコ病罹病率は５％にとどまった。
【比較例１】
【００１６】
実施例１と同じ大きさのビニルハウスにおいて殺菌剤の散布を全く行わずに苺（品種名あきひめ）を栽培したところ、ウドンコ病罹病率は８０％であった。
【比較例２】
【００１７】
比較例１において、殺菌剤（アゾキシストロピン水和剤）の２０００倍希釈液を2回散布したところ、苺（品種名あきひめ）のウドンコ病罹病率は６％であった。